(57)【要約】【課題】大判の印刷媒体を手差し給紙する印刷装置の小型化を実現する。【解決手段】印刷装置は、原稿台に載置された原稿を読み取る画像読取部と、供給口から供給された印刷媒体に印刷を行う印刷部と、前記原稿台に対して開閉自在に支持された原稿カバーであって、前記供給口に挿入される前記印刷媒体を支持する原稿カバーを備える。【選択図】図１
2016036090.tif 000002
【特許請求の範囲】
【請求項１】
原稿台に載置された原稿を読み取る画像読取部と、
供給口から供給された印刷媒体に印刷を行う印刷部と、
前記原稿台に対して開閉自在に支持された原稿カバーであって、前記供給口に挿入され
る前記印刷媒体を支持する原稿カバーと、
を備える印刷装置。
【請求項２】
前記原稿カバーは、
前記原稿台に対して閉じた状態において、前記原稿台および前記供給口を覆い、
前記原稿台に対して開いた状態において、前記供給口に挿入される前記印刷媒体を支持
する、
請求項１に記載の印刷装置。
【請求項３】
前記原稿カバーには、前記供給口の少なくとも一部と対応する開口が形成されており、
前記印刷部は、前記原稿カバーが前記原稿台に対して閉じた状態において前記開口を通
して前記供給口に挿入される前記印刷媒体に印刷を行う、
請求項１または請求項２に記載の印刷装置。
【請求項４】
前記原稿カバーは、前記原稿台に対して閉じた状態において、前記供給口に挿入される
前記印刷媒体を前記開口の内側で支持する、
請求項３に記載の印刷装置。
【発明の詳細な説明】
【技術分野】
【０００１】
本発明は、印刷装置に関する。
【背景技術】
【０００２】
従来、スキャナーとプリンターとを備えた多機能プリンターが知られている（例えば特
許文献１）。
【先行技術文献】
【特許文献】
【０００３】
【特許文献１】特開２００８−１６０７１４号公報
【発明の概要】
【発明が解決しようとする課題】
【０００４】
多機能プリンターにおいて、大判の印刷媒体を背面側から手差し給紙する場合、給紙ト
レイの支持面は大判の印刷媒体を支持するのに十分な面積が必要であり、装置の小型化を
妨げる。
本発明は、大判の印刷媒体を手差し給紙する印刷装置を小型化することを目的とする。
【課題を解決するための手段】
【０００５】
上記目的を達成するための印刷装置は、原稿台に載置された原稿を読み取る画像読取部
と、供給口から供給された印刷媒体に印刷を行う印刷部と、前記原稿台に対して開閉自在
に支持された原稿カバーであって、前記供給口に挿入される前記印刷媒体を支持する原稿
カバーと、を備える。
【０００６】
本発明によると、供給口から供給する印刷媒体を支持するための部品を原稿カバーとは
別に必要としないため、部品点数を低減できるし、当該部品と原稿カバーとが別体である
場合よりも印刷装置を小型化できる。また、原稿カバーは原稿の載置時や取り出し時に開
く他は通常閉じた状態であるので、本発明の構成は印刷装置の小型化や低背化を妨げるも
のではないし、非使用時に原稿カバーを折りたたむ等して小さく変形させる必要もない。
【０００７】
さらに、上記目的を達成するための印刷装置において、前記原稿カバーは、前記原稿台
に対して閉じた状態において、前記原稿台および前記供給口を覆い、前記原稿台に対して
開いた状態において、前記供給口に挿入される前記印刷媒体を支持してもよい。
すなわち原稿カバーを閉じた状態において原稿台を覆う原稿カバーが供給口をも覆う構
成であり、供給口を覆う蓋を原稿カバーとは別体で必要としないため、部品点数を増やさ
ずに供給口からの埃や異物の侵入を防止できる。また従来は、原稿カバーが開いた状態に
おいて、手差しする印刷媒体を供給する供給口は原稿台と原稿カバーとの内側ではなくて
外側に位置していた。供給口が原稿台と開いた状態の原稿カバーとの間に位置する構成で
は、供給口に挿入される印刷媒体を、開いた状態の原稿カバーが支持することができる。
また、原稿カバーの原稿を原稿台に対して押さえつける面は少なくとも原稿台を全て覆う
程度の面積を有しており、供給口から供給される印刷媒体を支持する際に印刷媒体を安定
的に支持しやすい。
【０００８】
さらに、上記目的を達成するための印刷装置において、前記原稿カバーには、前記供給
口の少なくとも一部と対応する開口が形成されており、前記印刷部は、前記原稿カバーが
前記原稿台に対して閉じた状態において前記開口を通して前記供給口に挿入される印刷媒
体に印刷を行ってもよい。
原稿台に載置された原稿を読み取る際には原稿カバーを閉じる必要がある。本構成によ
ると、原稿カバーを閉じた状態でも開口を通して供給口に印刷媒体を挿入することができ
るため、原稿台の原稿を読み取って印刷する（原稿をコピーする）場合に、原稿カバーを
閉じたまま読み取りと印刷を実施させることができる。
【０００９】
さらに、上記目的を達成するための印刷装置において、前記原稿カバーは、前記原稿台
に対して閉じた状態において前記印刷媒体を前記開口の内側で支持してもよい。
供給口の内側のみならず開口の内側においても印刷媒体を支持することができるため、
印刷媒体を安定的に支持しやすい。
【図面の簡単な説明】
【００１０】
【図１】（１Ａ）は第一実施形態にかかる印刷装置を示す斜視図、（１Ｂ）は原稿カバーを示す平面図、（１Ｃ）はスキャナー筐体を示す上面図、（１Ｄ）および（１Ｅ）は印刷装置を示す側面図。
【図２】（２Ａ）は第二実施形態にかかる印刷装置を示す斜視図、（２Ｂ）は原稿カバーを示す平面図、（２Ｃ）はスキャナー筐体を示す上面図、（２Ｄ）および（２Ｅ）は印刷装置を示す側面図。
【図３】（３Ａ）は第三実施形態にかかる印刷装置を示す斜視図、（３Ｂ）は原稿カバーを示す平面図、（３Ｃ）はスキャナー筐体を示す上面図、（３Ｄ）および（３Ｅ）は印刷装置を示す側面図。
【図４】（４Ａ）および（４Ｂ）は他の実施形態にかかる印刷装置を示す側面図。
【発明を実施するための形態】
【００１１】
以下、本発明の実施の形態を添付図面を参照しながら以下の順に説明する。尚、各図に
おいて対応する構成要素には同一の符号が付され、重複する説明は省略される。
１．第一実施形態：
図１Ａは第一実施形態にかかる印刷装置としての多機能プリンター（ＭＦＰ）１の斜視
図である。ＭＦＰ１は、フラットベッド型スキャナーを備えたインクジェットプリンター
として構成されており、スキャナー筐体１０と原稿カバー１２とプリンター筐体１１とを
備えている。図１Ｂは原稿カバー１２を示す平面図、図１Ｃはスキャナー筐体１０を示す
上面図、図１Ｄおよび図１ＥはＭＦＰ１を示す側面図である。スキャナー筐体１０は透明
なガラス板で構成される矩形形態の原稿台１００を支持している。本明細書では、原稿台
１００の長辺と平行な方向をｘ軸とし、原稿台１００の短辺と平行な方向をｙ軸とし、ｘ
軸およびｙ軸と直交する方向をｚ軸とする。原稿台１００には本実施形態においては例え
ば最大Ａ４サイズの原稿を載置することができる。
【００１２】
スキャナー筐体１０はプリンター筐体１１のｚ軸と平行な方向に積み重ねて取り付けら
れている。本明細書においては、図１Ａに示すように、ｚ軸と平行な方向においてｚ軸の
矢印が指す方向を上方、ｚ軸の矢印が指す方向と逆の方向を下方と表現する。また、図１
Ａに示すように、ｙ軸と平行な方向においてｙ軸の矢印が指す方向を前方、ｙ軸の矢印が
指す方向と逆の方向を後方と表現する。
【００１３】
スキャナー筐体１０の内部には、画像読取部が収容されている。画像読取部は、原稿台
１００の下方に配置されｙ軸と平行な方向に細長い形態のセンサーユニット１０５、原稿
台１００の下方においてｘ軸と平行な方向にセンサーユニット１０５を移動させるモータ
ー（不図示）やガイドレール（不図示）等を備えている。
【００１４】
原稿カバー１２には、軸１２０と、軸１２０を中心に原稿カバー１２に対して回転する
連結部材１２１とが取り付けられている。連結部材１２１はスキャナー筐体１０に形成さ
れた凹部１０２に嵌め入れられる。連結部材１２１が凹部１０２に嵌め入れられた状態で
原稿カバー１２は軸１２０を中心に原稿台１００に対して開閉することができる。図１Ｄ
は原稿カバー１２が原稿台１００に対して開いた状態であることを示しており、図１Ｅは
原稿カバー１２が原稿台１００に対して閉じた状態であることを示している。原稿カバー
１２が閉じた状態にあるとき、原稿カバー１２はスキャナー筐体１０に支持され安定して
いる。図１Ｄに示すように原稿カバー１２が開いた状態にあるときに当該状態よりも原稿
台１００に対して原稿カバー１２が大きく開かないように、例えば連結部材１２１に図示
しないストップ機構が設けられる。ストップ機構により原稿カバー１２は、閉じた状態か
ら不安定状態を経て図１Ｄに示す開いた状態で安定する。なお、原稿カバー１２が開いた
状態における原稿台１００と原稿カバー１２との角度は、後述する印刷媒体の手差し供給
時の供給口１０１の位置や印刷媒体Ｐの搬送路の角度等と関連して設計されるものであり
、図１Ｄに示す角度は一例に過ぎない。
【００１５】
また、原稿カバー１２は原稿台１００に対して開いた状態において、後述する供給口１
０１のｙ軸と平行な方向における後方に位置する（供給口１０１が原稿台１００と開いた
状態の原稿カバー１２との間に位置する）ように開閉可能に支持されていればよく、原稿
カバー１２の支持機構としては上述の構成の他にも様々な周知の構成を採用可能である。
【００１６】
スキャナー筐体１０の上面には、印刷媒体Ｐを後述する印刷部に供給（手差し供給）す
るための供給口１０１が形成されている。図１Ｅに示すように原稿カバー１２が原稿台１
００に対して閉じた状態にある場合、供給口１０１は原稿カバー１２によって覆われる。
そのため、供給口１０１内部への塵や異物の侵入を防止できる。また、供給口１０１を非
使用時に閉じるための蓋を原稿カバー１２が兼ねていることにより、それらが別体で構成
されている場合と比較すると部品点数を低減できる。
【００１７】
プリンター筐体１１の内部には、印刷部が収容されている。印刷部は、印刷媒体を搬送
する複数のローラー（不図示）やローラーを回転駆動するモーター（不図示）等の搬送機
構、インクタンク等を収容するキャリッジ１１５、キャリッジ１１５の底部に設けられイ
ンクを吐出する記録ヘッド１１６、キャリッジ１１５をｘ軸と平行な方向に往復動させる
モーター（不図示）、記録ヘッド１１６に対向する位置において印刷媒体を支持するプラ
テン１１７等を備えている。
【００１８】
プリンター筐体１１には印刷部に供給する印刷媒体を積載するカセット１１１が装着さ
れている。すなわち、ＭＦＰ１において印刷媒体の供給方法は、カセット１１１からの供
給と供給口１０１からの手差し供給との二つから選択できる。カセット１１１は、ｙ軸と
平行な方向にスライドしプリンター筐体１１に対して脱着することができる。カセット１
１１内の印刷媒体は、図示しないローラー等によって一枚ずつピックアップされ記録ヘッ
ド１１６とプラテン１１７との間に搬送される。供給口１０１から挿入された印刷媒体Ｐ
は、図示しないローラーによって１枚ずつ記録ヘッド１１６とプラテン１１７との間に搬
送される。記録ヘッド１１６とプラテン１１７との間に搬送された印刷媒体に記録ヘッド
１１６からインクを吐出されることによって印刷媒体に画像が形成される。記録ヘッド１
１６とプラテン１１７との間を通過した印刷媒体は図示しないローラーによって排出口１
１０に向けて搬送される。なお、図１Ｄおよび図１Ｅに示す一点鎖線の矢印は印刷媒体の
搬送経路を示している。
【００１９】
原稿カバー１２は、原稿台１００に載置された原稿を読み取る際に原稿を原稿台１００
に押しつける役割の他に、本実施形態においては、印刷媒体Ｐが供給口１０１から供給さ
れる場合に印刷媒体Ｐを支持する役割を果たす。印刷媒体Ｐは、原稿カバー１２が原稿台
１００に対して開いた状態において、原稿カバー１２の原稿台１００と対向する対向面１
２ａで支持される。本実施形態では供給口１０１から印刷媒体Ｐを手差し供給する場合に
印刷媒体Ｐを支持する支持部（従来の手差し給紙トレイ）を原稿カバー１２が兼務する構
成であるため、それらが別体で構成される場合と比較すると、部品点数を低減できる。ま
た、原稿カバー１２は原稿の載置時や取り出し時に開く他は通常閉じた状態であるので、
ＭＦＰ１の低背化（ＭＦＰ１の高さ（ｚ軸と平行な方向の長さ）がなるべく低くなるよう
に工夫される）を妨げるものではないし、非使用時に原稿カバー１２を折りたたむ等して
小さく変形させる必要もない。そのため、ユーザーは通常閉じられている原稿カバー１２
を、原稿読み取り時に原稿カバー１２を開けるのと同じ操作をして、手差し供給時の印刷
媒体Ｐを支持する支持部として機能する原稿カバー１２を準備することができる。したが
ってユーザーにとって使いやすい。また、本実施形態においては対向面１２ａはスキャナ
ー筐体１０のｘｙ平面と平行な面と同等に広いため、供給口１０１から供給される印刷媒
体Ｐを支持する際に印刷媒体Ｐを安定的に支持しやすい。原稿カバー１２は原稿台１００
よりも広い。したがって読み取り可能な原稿以上に大きな印刷媒体の全体を支持すること
も可能である。
【００２０】
なお、原稿をコピーする場合であって供給口１０１から手差しする印刷媒体Ｐに印刷を
行う場合、コピー対象の原稿を原稿台１００に載置して一旦原稿カバー１２を閉じて原稿
を読み取ってメモリーに記録させ、原稿カバー１２を開けて印刷媒体Ｐを供給口１０１に
挿入して原稿カバー１２に支持させてメモリーの画像データに基づいて印刷を実行させる
という二段階の操作を行えばよい。ただ、ＭＦＰ１において印刷媒体はカセット１１１か
らも供給できるため、原稿をカセット１１１の印刷媒体にコピーする場合は、上述の二段
階の操作の必要はない。例えば、カセット１１１には最大Ａ４サイズまでの印刷媒体をセ
ットすることができ、供給口１０１には最大Ａ２サイズの印刷媒体をセットすることがで
きる構成の場合、供給口１０１から手差し供給するのは、主にＡ４より大きな印刷媒体で
あることが想定される。そして、Ａ４より大きな印刷媒体は、Ａ４サイズの原稿台１００
に載置された原稿を拡大コピーする用途で使用されるよりも、図示しない通信Ｉ／Ｆ部を
介してＰＣ（Personal Computer）等の外部装置から送信された例えば高解像度の画像デ
ータに基づく印刷の用途で使用される方が多いことが想定される。そのため、実際にユー
ザーが上述の二段階の操作をする場面は少ないことが予想され、上述した本実施形態の構
成（開いた状態の原稿カバー１２が手差し供給の印刷媒体を支持する構成）による効果は
ユーザーに十分に利益をもたらすことができる。
【００２１】
なお、搬送する印刷媒体Ｐをサイズごとに位置決めするためにｘ軸と平行な方向にスラ
イド可能なガイド（不図示）が、供給口１０１内に設けられてもよい。原稿カバー１２の
対向面１２ａ側にガイドを設ける場合、原稿カバー１２を原稿台１００に対して閉じた状
態にする場合に原稿台１００に対向面１２ａを密着させることができない。そのためガイ
ドを原稿カバー１２に対して着脱可能にする等の工夫が必要であるが、供給口１０１内に
ガイドを設けることにより、原稿カバー１２の構成を複雑にすることなく印刷媒体Ｐのガ
イド機能を実現することができる。
【００２２】
２．第二実施形態：
図２は、第二実施形態にかかる印刷装置としてのＭＦＰ２を示している。図２Ａは原稿
カバー２２が閉じた状態のＭＦＰ２を示す斜視図、図２Ｂは原稿カバー２２を示す平面図
、図２Ｃはスキャナー筐体１０の上面図、図２Ｄは原稿カバー２２が開いた状態のＭＦＰ
２を示す側面図、図２Ｅは原稿カバー２２が閉じた状態のＭＦＰ２を示す側面図である。
第一実施形態との相違点は原稿カバー２２の供給口１０１の一部と対応する領域に開口２
２２が形成されている点である。
【００２３】
本実施形態においては、開口２２２は例えば、Ｌ判の印刷媒体の短辺よりもｘ軸と平行
な方向の長さが長く、Ａ２の印刷媒体の短辺の長さよりもｘ軸と平行な方向の長さが短い
矩形の開口を想定している。なお、本実施形態において、供給口１０１のｘ軸と平行な方
向の長さがＡ２の短辺と同等である。
【００２４】
例えばカセット１１１にＬ判以外の印刷媒体（例えばＡ４）が積載されている場合であ
って、Ｌ判の原稿をＬ判の印刷媒体Ｐにコピーしたい場合に、本実施形態のＭＦＰ２は便
利である。具体的に説明する。原稿カバー２２に開口２２２が形成されていない場合、原
稿カバー２２を閉じてＬ判の原稿を読み取り、原稿カバー２２を開いてＬ判の印刷媒体Ｐ
を供給口１０１にセットして印刷するという二段階の操作を行うか、あるいはカセット１
１１に積載されている印刷媒体を取り出してＬ判をセットしてコピーする必要がある。し
かしＭＦＰ２では、原稿カバー２２を原稿台１００に対して閉じた状態で、印刷媒体Ｐを
開口２２２を通じて供給口１０１にセットして印刷できるため、上述のような二段階の操
作の必要もないし、カセット１１１の印刷媒体をＬ版の印刷媒体に入れ換える必要もない
という点で便利である。また、原稿カバー２２を閉じた状態で印刷媒体Ｐを開口２２２を
通して供給口１０１にセットする場合、印刷媒体Ｐは供給口１０１の内側のみならず開口
２２２の内側でも支持することができるため、印刷媒体Ｐを安定的に支持しやすい。そし
てもちろん、Ａ２のような大判の印刷媒体については第一実施形態と同様に原稿カバー２
２を開いた状態で供給口１０１にセットすることができる（対向面２２ａで印刷媒体を支
持する）。
【００２５】
なお、開口２２２は供給口１０１よりも小さいため、原稿カバー２２は供給口１０１の
少なくとも一部に関して蓋として機能する。防塵のために開口２２２に図示しない蓋がさ
らに設けられてもよい。
【００２６】
３．第三実施形態：
図３に第三実施形態にかかる印刷装置としてのＭＦＰ３を示す。図３Ａは原稿カバー３
２が閉じられた状態のＭＦＰ３を示す斜視図、図３Ｂは原稿カバー３２を示す平面図、図
３Ｃはスキャナー筐体３０を示す上面図、図３Ｄは原稿カバー３２が原稿台１００に対し
て開いた状態のＭＦＰ３の側面図、図３Ｅは原稿カバー３２が閉じた状態のＭＦＰ３の側
面図である。本実施形態の原稿カバー３２は、連結部材３２１ａ、３２１ｂによってスキ
ャナー筐体３０と連結する。連結部材３２１ｂは軸３２０ｃを中心に回転する。軸３２０
ｃはスキャナー筐体３０に嵌め込まれている。連結部材３２１ａは軸３２０ａを中心に回
転する。軸３２０ａは原稿カバー３２に嵌め込まれている。連結部材３２１ａと連結部材
３２１ｂとは軸３２０ｂを中心に互いに対して回転する。原稿カバー３２は軸３２０ａ、
３２０ｂ、３２０ｃのそれぞれを中心に回転可能であり、原稿台１００に対して開閉する
。
【００２７】
原稿カバー３２には開口３２２が形成されている。開口３２２は、軸３２０ａと直交し
且つ対向面３２ａ（原稿台１００と向き合う面）と平行な方向に開口している。図３Ｂお
よび図３Ｃに示すように、開口３２２のｘ軸と平行な方向の長さｄ３は供給口１０１のｘ
軸と平行な方向の長さｄ１と同じに形成されている。
【００２８】
図３Ｄに示すように、原稿カバー３２が開いた状態で開口３２２と供給口１０１とが接
続する。原稿カバー３２の開口３２２の供給口１０１の遠方側から挿入された印刷媒体Ｐ
は、開口３２２の内部と供給口１０１の内部を経て、プリンター筐体１１内に到達する。
印刷媒体Ｐの先端がプリンター筐体１１内の図示しない搬送機構に到達している状態で、
原稿カバー３２を閉じることもできる。すなわち本実施形態では、図３Ｄに示すように原
稿カバー３２を開いた状態で供給口１０１から印刷媒体Ｐを供給して印刷を実行すること
ができるとともに、図３Ｅに示すように原稿カバー３２を閉じた状態でも供給口１０１か
ら印刷媒体Ｐを供給して印刷を実行することができる。
【００２９】
また、図３Ａおよび図３Ｅに示すように、原稿カバー３２を閉じた状態において原稿カ
バー３２の供給口１０１に近い方の端部とスキャナー筐体３０との間にスリットＳ１が生
じる。原稿カバー３２が閉じた状態で、このスリットＳ１から例えばＬ判のような小さく
撓みの少ない印刷媒体を挿入して印刷を実行させてもよい。
【００３０】
４．他の実施形態：
尚、本発明の技術的範囲は、上述した実施例に限定されるものではなく、本発明の要旨
を逸脱しない範囲内において種々変更を加え得ることは勿論である。例えば、上記実施形
態では供給口１０１はスキャナー筐体１０，３０の上面に形成されているが、必ずしも上
面に形成されていなくてもよい。例えば図４Ａおよび図４Ｂに示すように、スキャナー筐
体４０の背面に供給口４０１が形成されていてもよい。図５Ａに示すように、原稿カバー
４２が原稿台１００に対して開いた状態において、印刷媒体Ｐは、原稿カバー４２の原稿
台１００と対向する対向面４２ａで支持されながら供給口４０１にセットされることがで
きる。また、原稿カバー４２のｙｚ平面と平行な断面はＬ字形態となっており、図４Ｂに
示すように原稿カバー４２を閉じた状態では供給口４０１は原稿カバー４２によって覆わ
れるため塵や異物の供給口４０１内への侵入を防ぐことができる。なお、図４の例におい
ては、原稿カバー４２は軸４２０を中心に回転して原稿台１００に対して開閉するように
プリンター筐体１１に支持されている。また、スキャナー筐体４０は、原稿カバー４２が
開いた状態で、例えば軸４０２を中心に回転してプリンター筐体１１に対して開閉できる
ように構成されてもよい。
【００３１】
さらに、画像読取部および印刷部の構成は上記実施形態の他にも各種構成を採用可能で
ある。例えば、画像読取部にはエリアセンサーが採用されてもよい。また、印刷部はペー
ジプリンターとして構成されてもよいし、昇華型プリンターとして構成されてもよい。
【符号の説明】
【００３２】
１，２，３，４…ＭＦＰ、１０…スキャナー筐体、１１…プリンター筐体、１２…原稿
カバー、１２ａ…対向面、２２…原稿カバー、２２ａ…対向面、３０…スキャナー筐体、
３２…原稿カバー、３２ａ…対向面、４０…スキャナー筐体、４２…原稿カバー、４２ａ
…対向面、１００…原稿台、１００、１０１…供給口、１０２…凹部、１０５…センサー
ユニット、１１０…排出口、１１１…カセット、１１５…キャリッジ、１１６…記録ヘッ
ド、１１７…プラテン、１２０…軸、１２１…連結部材、２２２…開口、３２０ａ…軸、
３２０ｂ…軸、３２０ｃ…軸、３２１ａ…連結部材、３２１ｂ…連結部材、３２２…開口
、４０１…供給口、４０２…軸、４２０…軸、Ｐ…印刷媒体、Ｓ１…スリット
【図１】
2016036090.tif 000003
【図２】
2016036090.tif 000004
【図３】
2016036090.tif 000005
【図４】
2016036090.tif 000006